(57)【要約】【課題】メーカーなどの商品の供給者が、商品の市場全体における在庫状況から市場動向を分析するための市場在庫分析システム及び市場在庫の分析方法であって、一般に小売業者等が提供可能な情報から迅速かつ簡易に行えるものであって、かつなるべく正確な分析が可能なシステム及び方法を提供する【解決手段】市場在庫分析システムは、小売業者のＰＯＳ端末から商品の販売数量データを、倉庫等に設置された端末から商品の入庫数量データを取得する。在庫データベースには販売数量と入庫数量が記録され、商品の出入りから在庫数量を推算することができる。また、定期的に棚卸による在庫数量を取得し、在庫の廃棄や滅失により生じる誤差を修正して正確な値に更新する。かかる迅速かつ簡易な方法で幅広く在庫数量を把握することにより、単なる在庫管理のためだけではなく、市場全体の販売動向を捉えるためのデータとして利用することが可能になる。【選択図】      図１
2005008341.tif 000002
【特許請求の範囲】
【請求項１】
商品の型番を識別する識別データ及び前記商品の入庫数量データを受信する入庫数量データ受信手段と、
前記識別データ及び前記商品の販売数量データを受信する販売数量データ受信手段と、
前記識別データそれぞれについて対象期間毎に設けられたレコードに、前記入庫数量データ及び前記販売数量データを前記識別データと関連付けて格納する市場在庫データ格納手段と、
前記在庫数量データ及び前記販売数量データから前記商品にかかる在庫増減数量を算出する在庫増減数量算出手段と、
前記在庫増減数量から算出した前記商品にかかる在庫数量データを前記市場在庫データ格納手段の前記在庫数量データの対象期間に該当するレコードに記録する在庫数量データ記録手段と、
を備えることを特徴とする市場在庫分析システム。
【請求項２】
前記識別データ及び前記商品の棚卸による棚卸数量データを受信する棚卸数量データ受信手段を備えていて、
前記在庫数量データ記録手段は、前記棚卸数量データを受信すると、前記在庫数量データに代えて前記棚卸数量データを前記市場在庫データ格納手段の対象期間に該当するレコードに記録すること
を特徴とする請求項１記載の市場在庫分析システム。
【請求項３】
前記識別データ及び前記商品の棚卸による棚卸数量データを受信する棚卸数量データ受信手段を備え、
前記市場在庫データ格納手段に対象期間毎に設けられたレコードには、棚卸数量データを優先することを示す棚卸フラグを記録するフィールドが設けられていて、
前記在庫数量データ記録手段は、前記フィールドに前記棚卸フラグを検出すると、前記在庫数量データに代えて前記棚卸数量データを前記市場在庫データ格納手段の対象期間に該当するレコードに記録すること
を特徴とする請求項１記載の市場在庫分析システム。
【請求項４】
前記在庫数量データを取得して市場在庫の分析データを作成する市場在庫分析手段を備えることを特徴とする請求項１乃至３いずれかに記載の市場在庫分析システム。
【請求項５】
前記市場在庫分析手段は、同一の識別データについて異なる期間の在庫データを前記市場在庫データ格納手段より取得して、前記分析データを作成すること
を特徴とする請求項４記載の市場在庫分析システム。
【請求項６】
前記市場在庫データ格納手段に設けられたレコードには複数の型番により構成される商品グループを示すグループコードが付されており、
前記市場在庫分析手段は、同一のグループコードが付された在庫データを前記市場在庫データ格納手段より取得して、前記分析データを作成すること
を特徴とする請求項４記載の市場在庫分析システム。
【請求項７】
前記販売数量データは、通信ネットワークを通じて接続されたＰＯＳ端末より受信すること
を特徴とする請求項１乃至６いずれかに記載の市場在庫分析システム。
【請求項８】
コンピュータが、商品の型番を識別する識別データ及び前記商品の入庫数量データを受信するステップと、
前記コンピュータが、前記識別データ及び前記商品の販売数量データを受信するステップと、
前記コンピュータが、前記識別データそれぞれについて対象期間毎に記憶装置に設けられたレコードに、前記入庫数量データ及び前記販売数量データを前記識別データと関連付けて格納するステップと、
前記コンピュータが、前記在庫数量データ及び前記販売数量データから前記商品にかかる在庫増減数量を算出するステップと、
前記コンピュータが、前記在庫増減数量から算出した前記商品にかかる在庫数量データを前記記憶装置の前記在庫数量データの対象期間に該当するレコードに記録するステップと、
からなることを特徴とする市場在庫の分析方法。
【請求項９】
前記コンピュータが、前記識別データ及び前記商品の棚卸による棚卸数量データを受信するステップを有していて、
前記在庫数量データを記録するステップでは、前記棚卸数量データを受信すると、前記在庫数量データに代えて前記棚卸数量データを前記記憶装置の対象期間に該当するレコードに記録すること
を特徴とする請求項８記載の市場在庫の分析方法。
【請求項１０】
前記コンピュータが、前記識別データ及び前記商品の棚卸による棚卸数量データを受信するステップを有しており、
前記記憶装置に対象期間毎に設けられたレコードには棚卸数量データを優先することを示す棚卸フラグを記録するフィールドが設けられていて、
前記在庫数量データを記録するステップでは、前記フィールドに前記棚卸フラグを検出すると、前記在庫数量データに代えて前記棚卸数量データを前記市場在庫データ格納手段の対象期間に該当するレコードに記録すること
を特徴とする請求項８記載の市場在庫の分析方法。
【請求項１１】
前記コンピュータが、前記在庫数量データを取得して市場在庫の分析データを作成するステップを有すること
を特徴とする請求項８乃至１０いずれかに記載の市場在庫の分析方法。
【請求項１２】
前記分析データを作成するステップでは、同一の識別データについて異なる期間の在庫データを前記記憶装置より取得して、前記分析データを作成すること
を特徴とする請求項１１記載の市場在庫の分析方法。
【請求項１３】
前記記憶装置に設けられたレコードには複数の型番により構成される商品グループを示すグループコードが付されており、
前記分析データを作成するステップでは、同一のグループコードが付された在庫データを前記記憶装置より取得して、前記分析データを作成すること
を特徴とする請求項１１記載の市場在庫の分析方法。
【請求項１４】
前記販売数量データは、通信ネットワークを通じて接続されたＰＯＳ端末より受信すること
を特徴とする請求項８乃至１３いずれかに記載の市場在庫の分析方法。
【発明の詳細な説明】
【０００１】
【発明の属する技術分野】
本発明は、メーカーなどの商品の供給者が、商品の市場における在庫状況から市場動向を分析するための、市場在庫分析システム及び市場在庫の分析方法に関するものである。
【０００２】
【従来の技術】
ある商品について、需要を上回る数量の商品を供給すると、当該商品はメーカーや卸売業者、小売業者に在庫として滞留する。過剰な在庫の存在は、在庫を保有する間の資金繰りを圧迫し、将来的には処分によるロスが発生する可能性もあることから、メーカー、卸売業者、小売業者いずれにとっても回避すべき経営上の課題である。
【０００３】
在庫を効率的に管理するためには、メーカー、卸売業者、小売業者相互の間で情報を共有し、需要に即した生産調整や、卸売業者や小売業者間での在庫の融通などを行うことが効果的である。在庫に関する最新の情報を共有するためには、インターネットなどの通信ネットワークを利用した在庫管理システムを活用することが効果的であり、小売業者の販売情報を分析してメーカー等に発注する流通システムに関する発明（例えば、特許文献１参照。）や、小売業者の在庫情報をメーカーが一括管理して小売業者間の在庫調整を行う在庫管理システムに関する発明（例えば、特許文献２参照。）が開示されている。
【０００４】
【特許文献１】特開２００２−１０９００４号公報
【特許文献２】特開２００２−１０４６２２号公報
【０００５】
【発明が解決しようとする課題】
在庫に関する問題について商品を製造するメーカー側から考えた場合、単に個別の小売店における販売動向に合わせて商品を供給するというだけでなく、メーカー側が在庫の状況から市場での売れ筋動向を把握し、これに合わせて生産設備を増強したり、新たな商品を開発するといった判断が必要になることもある。このような判断を行うためには、個別の小売業者の細かな販売状況という視点ではなく、市場全体での商品の販売動向という視点から、在庫の状況を分析することが必要になる。
【０００６】
しかしながら、前記特許文献１記載の発明は、小売業者の販売情報を分析してメーカー等に発注する流通システムに関するものであって、あくまでも個別の小売業者のニーズに合わせて商品を供給するための情報を提供するものであるため、市場全体の動向を把握するために用いられるものではない。
【０００７】
また、前記特許文献２記載の発明は、小売業者の在庫情報をメーカーが一括管理して小売業者間の在庫調整を行う在庫管理システムに関するものであって、あくまでも小売業者間の在庫調整を行って余剰在庫を削減するための情報を提供するものであるため、上記と同様に市場全体の動向を把握するために用いられるものではない。
【０００８】
近時は、小売業者や卸売業者はそれぞれ在庫管理にコンピュータシステムを導入することも一般化しているため、なるべく多くの在庫管理システムから随時商品別の在庫情報を取得し、これらの在庫情報から市場全体の動向を分析することが考えられる。理論的にはこのような方法も可能であるが、正確な在庫数量の把握には現場での棚卸作業が必要なため、棚卸作業の限界から在庫数量を把握できるのは一定期間毎となり易く、迅速な在庫数量を随時把握することは困難である。また、企業はかかる在庫情報を機密情報として開示しないことも少なくないため、現実的には在庫情報の取得自体が極めて困難な場合もある。従って、市場全体の動向を把握するためのシステムは、一般に小売業者や卸売業者が提供可能な情報から迅速かつ簡易に行えるものであって、かつなるべく正確な分析を行えるものであることが好ましい。
【０００９】
本発明は、このような課題に対応してなされたものであり、メーカーなどの商品の供給者が、商品の市場全体における在庫状況から市場動向を分析するための市場在庫分析システム及び市場在庫の分析方法であって、一般に小売業者等が提供可能な情報から迅速かつ簡易に行えるものであって、かつなるべく正確な分析が可能なシステム及び方法を提供することを目的とするものである。
【００１０】
【課題を解決するための手段】
このような課題を解決する本発明は、商品の型番を識別する識別データ及び前記商品の入庫数量データを受信する入庫数量データ受信手段と、前記識別データ及び前記商品の販売数量データを受信する販売数量データ受信手段と、前記識別データそれぞれについて対象期間毎に設けられたレコードに、前記入庫数量データ及び前記販売数量データを前記識別データと関連付けて格納する市場在庫データ格納手段と、前記在庫数量データ及び前記販売数量データから前記商品にかかる在庫増減数量を算出する在庫増減数量算出手段と、前記在庫増減数量から算出した前記商品にかかる在庫数量データを前記市場在庫データ格納手段の前記在庫数量データの対象期間に該当するレコードに記録する在庫数量データ記録手段と、を備えることを特徴とする市場在庫分析システムである。
【００１１】
この発明においては、小売店等が商品の入庫時に入庫記録のために記録する入庫数量データと、小売店等のＰＯＳ端末等から取得した販売数量データとを商品の型番別に集計することにより、入庫数量と販売数量から当該小売店等における在庫数量を簡易に推定することができる。販売数量データの取得は、ＰＯＳ端末から直接取得してもよいし、小売店のホストコンピュータ等で集計したデータを用いることとしてもよい。これらのデータを対象期間毎に設けられたレコードに記録することにより、時系列的な分析も可能になる。尚、対象期間は一日毎に設定することが好ましいが、一週間毎、一ヶ月毎などその他の期間を定めるものであってもよい。
【００１２】
在庫データそのものを取得しようとすると、小売店等の棚卸のタイミングや、小売店等の外部への情報開示の制限から、十分なデータを取得することが困難であることが多いが、このような簡易な方法によるなら、市場調査会社等が取得できるデータの範囲内において、おおまかな傾向値を把握することが可能になる。その結果、特定のメーカーが自社の在庫データを取得するだけでなく、調査会社等が複数のメーカーの在庫データを取得して、市場全体の動向を把握することも可能になる。
【００１３】
また、本発明にかかる市場在庫分析システムは、前記識別データ及び前記商品の棚卸による棚卸数量データを受信する棚卸数量データ受信手段を備えていて、前記在庫数量データ記録手段は、前記棚卸数量データを受信すると、前記在庫数量データに代えて前記棚卸数量データを前記市場在庫データ格納手段の対象期間に該当するレコードに記録することを特徴とすることもできる。前記識別データ及び前記商品の棚卸による棚卸数量データを受信する棚卸数量データ受信手段を備え、前記市場在庫データ格納手段に対象期間毎に設けられたレコードには、棚卸数量データを優先することを示す棚卸フラグを記録するフィールドが設けられていて、前記在庫数量データ記録手段は、前記フィールドに前記棚卸フラグを検出すると、前記在庫数量データに代えて前記棚卸数量データを前記市場在庫データ格納手段の対象期間に該当するレコードに記録することを特徴としてもよい。
【００１４】
前述の通り、入庫数量と販売数量から当該小売店等における在庫数量を簡易に推定することができるが、当該小売店等において在庫の紛失や廃棄が生じた場合、かかる方法のみでは実際の在庫数量との間に誤差が生じることがある。従って、通常は入庫数量と販売数量による推定で在庫数量を算出しながらも、一定期間毎に正確な在庫数量への変更を行うことが好ましい。この構成においては、一定期間毎に棚卸による正確な在庫数量を取得して在庫情報を更新することにより、通常は簡易な方法により在庫数量を推定しながら、かかる推定により生じる実在庫との誤差を随時調整することが可能になる。
【００１５】
尚、棚卸による正確な在庫数量の更新は、棚卸による正確な在庫数量を取得する毎に行ってもよいし、予め更新を行う日付等にフラグを設けておいて、当該フラグの存在する日付等には棚卸による正確な在庫数量に更新するよう設定してもよい。例えば同一社内のデータの更新であれば予め棚卸数量を更新する日付を登録しておくことも可能であるが、棚卸フラグを任意に設定できるよう構成することにより、棚卸日の異なる多数の販売業者等からのデータを対象にする場合であっても、柔軟な対応が可能になる。また、棚卸日が頻繁に変更されるような状況においても、設定の変更が容易になる。
【００１６】
さらに、本発明にかかる市場在庫分析システムは、前記在庫数量データを取得して市場在庫の分析データを作成する市場在庫分析手段を備えることを特徴とすることもできる。
【００１７】
前記市場在庫分析手段は、同一の識別データについて異なる期間の在庫データを前記市場在庫データ格納手段より取得して、前記分析データを作成することを特徴とすることもできる。前記市場在庫データ格納手段に設けられたレコードには複数の型番により構成される商品グループを示すグループコードが付されており、前記市場在庫分析手段は、同一のグループコードが付された在庫データを前記市場在庫データ格納手段より取得して、前記分析データを作成することを特徴としてもよい。
【００１８】
このように構成することにより、本発明により簡易な方法により取得した在庫データから、市場在庫の動向を分析した分析データを作成することができる。分析の方法としては、同一の型番の商品についての在庫動向の時系列的な分析や、商品をブランド別やカテゴリ別などに分類して分析するなど、多面的な分析が可能になる。
【００１９】
さらに、本発明にかかる市場在庫分析システムにおいて、前記販売数量データは、通信ネットワークを通じて接続されたＰＯＳ端末より受信することを特徴とすることもできる。
【００２０】
小売店等においては、販売動向の把握や効率的な仕入を行うために、商品の販売時に販売した商品のデータをコンピュータシステムに記録するＰＯＳシステムが広く利用されている。ＰＯＳシステムにおいて、店頭で販売した商品に関する情報を取得するＰＯＳ端末を利用することにすれば、本発明において販売数量データを容易に取得することができる。
【００２１】
さらに、本発明にかかる市場在庫分析システムは、上記のそれぞれの構成に対応して、市場在庫分析システムを用いた市場在庫の分析方法として構成することもできる。
【００２２】
【発明の実施の形態】
本発明の実施の形態について、図面を用いて以下に詳細に説明する。尚、以下の例において、本発明にかかる市場在庫分析システムは、商品を販売する小売業者から販売データ等の所要データを取得し、分析したデータを商品を供給するメーカーの生産管理に利用する例について説明するが、商品の供給者は例えば卸売業者であってもよく、本発明は以下に説明する実施形態に限定されるものではない。
【００２３】
図１は、本発明にかかる市場在庫分析システムの概要を示す図である。図２は、本発明にかかる市場在庫分析システムの構成を示すブロック図である。図３は、本発明にかかる市場在庫分析システムにおいて、在庫データベースに記録されるデータの一例を示す図である。図４は、本発明にかかる市場在庫分析システムにおいて、商品の型番別の在庫動向を分析するデータの一例を示す図である。図５は、本発明にかかる市場在庫分析システムにより作成されたＺチャートの一例である。図６は、本発明にかかる市場在庫分析システムにおいて、在庫数量データを記録するフローのフローチャートである。
【００２４】
図１において、本発明にかかる市場在庫分析システムは、商品を販売する小売業者であるＡ社とＢ社、商品を供給するメーカーであるＸ社とＹ社と、それぞれインターネット等の通信ネットワークを通じて接続されている。市場在庫分析システムには、データの送受信や在庫データの分析処理を行う在庫分析サーバと、在庫データを格納する在庫データベースを含まれている。
【００２５】
市場在庫分析システムは、Ａ社及びＢ社の店舗に設置されたＰＯＳ端末から商品の販売数量に関するデータを取得する。また、Ａ社及びＢ社の倉庫等に設置された端末から仕入れを行った商品の入庫数量に関するデータを取得する。在庫データベースには、販売数量と入庫数量が記録され、商品の出入りの数量からＡ社及びＢ社それぞれに滞留する在庫数量を推算することができる。正確な在庫の数量を把握するためには、廃棄や滅失により減少した在庫の数量を反映するために棚卸を行うことが必要であるが、かかる方法によれば棚卸のタイミングを待たなくても、おおまかな在庫の変動を即時に把握することができる。
【００２６】
上記のような在庫数量に関するデータを、１社のみではなく多くの小売業者から収集することにより、在庫数量の分析は一小売業者の在庫管理のためだけではなく、市場全体の販売動向を捉えるためのデータとして利用することができる。従って、分析したデータをＸ社、Ｙ社等のメーカーに提供することにより、メーカー側は特定の商品にかかる生産調整に活かすだけではなく、市場全体の販売動向を把握することにより、新規の商品開発や設備投資の判断にも活用することが可能になる。
【００２７】
図２は、本発明にかかる市場在庫分析システム１０の構成を示している。図２において、市場在庫分析システム１０は、データ受信部１１１、在庫数量算出部１１２、在庫数量分析部１１３、表示データ作成部１１４及びデータ送信部１１５を含む在庫分析サーバ１１と、在庫データベース１２を含んで構成されている。
【００２８】
在庫分析サーバ１１のデータ受信部１１１は、小売業者の倉庫等に設けられた在庫管理システム２０の入庫記録端末２１より、商品の入庫数量に関するデータを取得する。また、当該小売業者の販売店等に設けられた販売店システム３０のＰＯＳ端末３１より、当該商品の販売数量に関するデータを取得する。販売数量データの取得は、複数のＰＯＳ端末から集計されたデータを取得するものであってもよい。ここで取得した入庫数量及び販売数量に関するデータは、在庫データベース１２に格納される。データを毎日取得することとする場合は、在庫データベース１２日には一日毎の日付が付されたレコードが設けられ、入庫数量及び販売数量に関するデータは該当日付のレコードに格納される。
【００２９】
在庫分析サーバ１１の在庫数量算出部１１２は、在庫データベース１２に格納された入庫数量及び販売数量に関するデータから、当日における在庫数量の増減を算出する。つまり、入庫数量から販売数量を減じた数量が当日の在庫の増加数量であると推測することができるため、前日の在庫数量に増減させることにより、在庫数量を算出することができる。実際の在庫数量は廃棄や滅失により異なることもあるが、おおまかな傾向はかかる推算により把握することが可能である。算出した在庫数量は、在庫データベース１２に格納してもよい。
【００３０】
しかしながら、このような推算を繰り返していくと、上記のように廃棄や滅失による実際の在庫数量との乖離が拡大していくこととなるため、適宜棚卸による正確な在庫数量を反映することが好ましい。そのために、在庫分析サーバ１１のデータ受信部１１１は、在庫管理システム２０の棚卸管理端末２２より棚卸時の在庫数量に関するデータを受信し、在庫データベース１２に格納された在庫数量を正確な数値に更新する。
【００３１】
図３は、在庫データベース１２に記録されるデータの一例を示している。商品の型番毎に設けられた商品コード別、対象となる日付別に販売数量と仕入数量が記録されていて、在庫の増減を前日の在庫数量に加減して、当日の在庫数量を算出する。
【００３２】
日付別に設けられたレコードには、棚卸の有無を記録するための棚卸フラグのフィールドが設けられている。ここに棚卸フラグとして「１」が記録されている日は棚卸が実行される日であることを示しており、かかるフラグが存在する日付には、上記のように在庫の増減から当日の在庫数量を演算するのではなく、別途棚卸により把握された在庫数量を取得して、在庫数量のフィールドに記録される。棚卸フラグを記録する日付は、小売業者毎等に設定することも可能なので、棚卸日の異なる複数の小売業者等の販売データを管理することも可能になる。
【００３３】
尚、棚卸による在庫数量の更新は、かかる棚卸フラグにより予め設定しておくのがシステム設計上は効率的であるが、予め定められた棚卸日でなくても、在庫分析サーバ１１が棚卸による在庫データを取得すれば、在庫数量の増減により算出された在庫数量に優先して棚卸による在庫データを採用するように設定してもよい。棚卸による在庫数量であることを示すデータを検出すれば、優先的に在庫数量として採用するよう設定することのより、不定期の棚卸による正確な在庫数量を反映することも可能になる。
【００３４】
在庫分析サーバ１１の在庫数量分析部１１３は、在庫データベース１２に格納された在庫数量に関するデータを取得して、在庫動向を分析するための演算処理を行う。在庫動向の分析において基本となるデータが、図４に示した商品の型番別の在庫動向を分析するデータの一例である。図４の例では、商品の型番別に一週間の販売データや在庫データを集計し、週次のランキングとしてまとめている。ここで示される在庫数量に関する数値は、原則として上記のように推算されたデータが用いられている。
【００３５】
在庫動向の分析は、商品の特性、販売価格、メーカー別、地域別など、様々な条件による分類から対比して行うことができる。例えば図４においては、在庫分析のための基本データとして、在庫数量の他に在庫回転率や、在庫滞留期間に関するデータが記録されている。在庫回転率は、総販売数量÷平均在庫数量により求められる。在庫滞留期間は、平均在庫数量÷総販売数量により求められる。
【００３６】
また、同一の商品について時系列のデータを取得し、時系列に沿った推移を分析することとしてもよい。前述の通り、かかる簡易な方法によれば市場における幅広い製品に関するデータを取得することが可能になるため、例えば同時期に発売された競合商品にかかるデータを比較対比し、メーカー側の販売戦略や新製品の開発戦略に活用することもできる。
【００３７】
在庫数量分析部１１３において分析されたデータから、表示データ作成部１１４において画面表示用のデータが作成され、データ送信部１１５より生産管理システム４０の出力端末４１に送信される。出力端末４１では分析結果を表示して在庫動向を把握し、生産計画や販売計画に活用することができる。
【００３８】
図５は、表示データの一例として、Ｚチャートの表示例を示したものである。図５に示したＺチャートは、それぞれ各週における販売数量の推移、各週における販売数量の累計の推移、各週における七週間の販売数量の移動累計の推移を示す折れ線グラフから構成されており、中期と短期の販売グラフが描く「Ｚ」の形によって当該商品の販売が今後も伸長するものか否かを視覚的に判断するのに用いられるものである。本発明によれば、Ｚチャートを描くためのデータを、容易に取得することができる。
【００３９】
本発明にかかる市場在庫分析システムにより在庫数量データを記録するフローについて、図６のフローチャートを用いて説明する。まず、小売業者等の端末から、入庫した商品に関する入庫数量データを受信する（Ｓ０１）。受信したデータは、在庫データベースの該当する日付のレコードに記録される（Ｓ０２）。次に、小売業者等のＰＯＳ端末から、販売した商品に関する販売数量データを受信する（Ｓ０３）。受信したデータは、在庫データベースの該当する日付のレコードに記録される（Ｓ０４）。
【００４０】
続いて、入庫数量及び販売数量を記録した日付のレコードに、棚卸フラグがあるか否かを確認する（Ｓ０５）。フラグがある場合には棚卸データが優先するため、小売業者等の端末から棚卸による在庫数量データを受信し（Ｓ０６）、受信した在庫数量データを該当するレコードに記録する（Ｓ０７）。フラグがない場合には、前日の在庫数量に対して入庫数量を加算、販売数量を減算して在庫数量を算出し（Ｓ０８）、算出した在庫数量データを該当するレコードに記録する（Ｓ０９）。
【００４１】
【発明の効果】
本発明により、小売業者等から正確な在庫数量を取得しなくても、簡易な方法によって市場における在庫数量の動向を迅速に把握することが可能になる。また、小売業者等は日常的に把握するデータをそのまま提供すればよいだけなので、幅広い市場情報を収集が行い易く、多くの小売業者等からデータを収集することにより、市場全体における在庫状況から市場動向を分析することが可能になる。このようにして取得した在庫データは、メーカーなどの商品供給者にとっては、生産調整のために在庫状況を把握するだけでなく、市場の販売動向を把握することにより設備投資や新規の開発投資を検討するための情報として活用することもできる。
【図面の簡単な説明】
【図１】本発明にかかる市場在庫分析システムの概要を示す図である。
【図２】本発明にかかる市場在庫分析システムの構成を示すブロック図である。
【図３】本発明にかかる市場在庫分析システムにおいて、在庫データベースに記録されるデータの一例を示す図である。
【図４】本発明にかかる市場在庫分析システムにおいて、商品の型番別の在庫動向を分析するデータの一例を示す図である。
【図５】本発明にかかる市場在庫分析システムにより作成されたＺチャートの一例である。
【図６】本発明にかかる市場在庫分析システムにおいて、在庫数量データを記録するフローのフローチャートである。
【符号の説明】
１０      市場在庫分析システム
１１      在庫分析サーバ
１１１    データ受信部
１１２    在庫数量算出部
１１３    在庫数量分析部
１１４    表示データ作成部
１１５    データ送信部
１２      在庫データベース
２０      在庫管理システム
２１      入庫記録端末
２２      棚卸管理端末
３０      販売店システム
３１      ＰＯＳ端末
４０      生産管理システム
４１      出力端末
【図１】
2005008341.tif 000003
【図２】
2005008341.tif 000004
【図３】
2005008341.tif 000005
【図４】
2005008341.tif 000006
【図５】
2005008341.tif 000007
【図６】
2005008341.tif 000008